(57)【要約】  本願において公開するのは、（Ａ）潤滑油、及び（Ｂ）混合物が、縮合の終了時に、残存するアルキル化ジフェニルアミンがアクリダン産物から分離されず、かつＲ１、Ｒ２、Ｒ３、及びＲ４が、少なくとも１つが水素ではないという条件で、水素、Ｃ３からＣ３２のアルキル、及びＣ３からＣ３２のアルケニルからなるグループから独立して選択され、及びＲ５及びＲ６がＣ１からＣ２０のヒドロカルビル及び水素からなるグループから独立して選択される、一般式の少なくとも１つのアクリダンを生産するために、酸触媒の存在下におけるアルキル化ジフェニルアミンとアルデヒド又はケトンとの部分的な縮合によって調製される、抗酸化剤の混合物、を包含する組成物である。
2007532757.tif 000002
【特許請求の範囲】
【請求項１】
（Ａ）潤滑油；及び
（Ｂ）混合物が、縮合の終了時に残存するアルキル化ジフェニルアミンがアクリダン産物から分離されず、かつＲ１、Ｒ２、Ｒ３、及びＲ４が、少なくとも１つが水素ではないという条件で、水素、Ｃ３からＣ３２のアルキル、及びＣ３からＣ３２のアルケニルからなる群から独立して選択され、及びＲ５及びＲ６がＣ１からＣ２０のヒドロカルビル及び水素からなる群から独立して選択される、下記の一般式の少なくとも１つのアクリダンを生産するために、酸触媒の存在下でアルキル化ジフェニルアミンとアルデヒド又はケトンとの部分的な縮合によって調製される、抗酸化剤の混合物：
を包含する組成物。
【化１】
2007532757.tif 000027
【請求項２】
アルキル化ジフェニルアミンが、モノ−、ジ−、及びトリ−ノニル化ジフェニルアミン及びブチル化オクチル化ジフェニルアミンからなる群から選択される、請求項１の組成物。
【請求項３】
アルキル化ジフェニルアミンがケトンと縮合される、請求項１の組成物。
【請求項４】
ケトンがアセトンである、請求項３の組成物。
【請求項５】
アルキル化ジフェニルアミンがケトンと縮合される、請求項２の組成物。
【請求項６】
ケトンがアセトンである、請求項５の組成物。
【請求項７】
組成物が混合物によって与えられるものに加えて少なくとも１つの抗酸化剤をさらに包含する、請求項１の組成物。
【請求項８】
付加的な抗酸化剤がアミン抗酸化剤、ヒンダードフェノール抗酸化剤、及びその混合物からなる群から選択される、請求項７の組成物。
【請求項９】
ヒンダードフェノール抗酸化剤が、２，４−ジメチル−６−オクチル−フェノール、２，６−ジ−ｔ−ブチル−４−メチルフェノール、２，６−ジ−ｔ−ブチル−４−エチルフェノール、２，６−ジ−ｔ−ブチル−４−ｎ−ブチル−フェノール、２，２’−メチレンビス（４−メチル−６−ｔ−ブチルフェノール）、２，２’−メチレンビス（４−エチル−６−ｔ−ブチル−フェノール）、２，４−ジメチル−６−ｔ−ブチルフェノール、４−ヒドロキシメチル−２，６−ジ−ｔ−ブチルフェノール、ｎ−オクタデシル−ベータ（３，５−ジ−ｔ−ブチル−４−ヒドロキシフェニル）プロピオン酸、２，６−ジオクタデシル−４−メチルフェノール、２，４，６−トリメチルフェノール、２，４，６−トリイソプロピルフェノール、２，４，６−トリ−ｔ−ブチルフェノール、２−ｔ−ブチル−４，６−ジメチルフェノール、２，６−ジメチル−４−ジドデシルフェノール、トリス（３，５−ジ−ｔ−ブチル−４−ヒドロキシ）イソシアヌル酸、トリス（２−メチル−４−ヒドロキシ−５−ｔ−ブチルフェニル）ブタン、３，５−ジ−ｔ−ブチル−４−ヒドロキシヒドロ桂皮酸、オクタデシル−３，５−ジ−ｔ−ブチル−４−ヒドロキシ−ヒドロ桂皮酸、テトラキス｛メチレン（３，５−ジ−ｔ−ブチル−４−ヒドロキシ−ヒドロ桂皮酸）｝メタン、１，２−ビス（３，５−ジ−ｔ−ブチル−４−ヒドロキシヒドロ桂皮酸）ヒドラジン、１，３，５−トリス（３，５−ジ−ｔ−ブチル−４−ヒドロキシベンジル）−ｓ−トリアジン−２，４，６−（１Ｈ，３Ｈ，５Ｈ）トリオン、２，２’−オキサミド−ビス−｛エチル−３−（３，５−ジ−ｔ−ブチル−４−ヒドロキシフェニル）｝プロピオン酸、１，３，５−トリス（４−ｔ−ブチル−３−ヒドロキシ−２，６−ジメチルベンジル）−ｓ−トリアジン−２，４，６−（１Ｈ，３Ｈ，５Ｈ）トリオン、１，３，５−トリメチル−２，４，６−トリス（３，５−ジ−ｔ−ブチル−４−ヒドロキシベンジル）ベンゼン、１，３，５−トリス（２−ヒドロキシエチル）−５−トリアジン−２，４，６（１Ｈ，３Ｈ，５Ｈ）−トリオンの３，５−ジ−ｔ−ブチル−４−ヒドロキシヒドロ桂皮酸トリエステル、ビス（３，３−ビス（４−ヒドロキシ−３−ｔ−ブチルフェニル）ブタン酸）グリコールエステル、テトラキス｛メチレン（３，５−ジ−ｔ−ブチル−４−ヒドロキシ−ヒドロ桂皮酸）｝メタン、１，３，５−トリメチル−２，４，６−トリス（３，５−ｔ−ブチル−４−ヒドロキシベンジル）ベンゼン、及び３，５−ジ−ｔ−ブチル−４−ヒドロキシ−ヒドロ桂皮酸のＣ７からＣ９分枝鎖アルキルエステル、からなるグループから選択される、請求項８の組成物。
【請求項１０】
（Ａ）潤滑油；及び
（Ｂ）抗酸化剤の混合物であって；
（１）Ｒ１、Ｒ２、Ｒ３、及びＲ４が、少なくとも１つが水素ではないという条件で、水素、Ｃ３からＣ３２のアルキル、及びＣ３からＣ３２のアルケニルからなる群から独立して選択され、及びＲ５及びＲ６がＣ１からＣ２０のヒドロカルビル及び水素からなる群から独立して選択される下記の一般式の少なくとも１つのアクリダン；
【化２】
2007532757.tif 000028
（２）アクリダンの調製物由来の残存するアルキル化ジフェニルアミン；
（３）アミン抗酸化剤、ヒンダードフェノール抗酸化剤、及びその混合物からなる群から選択される少なくとも１つの付加的な抗酸化剤、を含む抗酸化剤の混合物；
を包含する組成物。
【請求項１１】
混合物が、縮合の終了時に、残存するアルキル化ジフェニルアミンがアクリダン産物から分離されず、かつＲ１、Ｒ２、Ｒ３、及びＲ４が、少なくとも１つが水素ではないという条件で、水素、Ｃ３からＣ３２のアルキル、及びＣ３からＣ３２のアルケニルからなる群から独立して選択され、及びＲ５及びＲ６がＣ１からＣ２０のヒドロカルビル及び水素からなる群から独立して選択される下記の一般式の少なくとも１つのアクリダンを生産するために、酸触媒の存在下におけるアルキル化ジフェニルアミンとアルデヒド又はケトンとの部分的な縮合によって調製される、抗酸化剤の混合物を潤滑油へと添加することを包含する、潤滑油の酸化に対する感受性を軽減させるための方法。
【化３】
2007532757.tif 000029
【請求項１２】
アルキル化ジフェニルアミンが、モノ−、ジ−、及びトリ−ノニル化ジフェニルアミン及びブチル化オクチル化ジフェニルアミンからなるグループから選択される、請求項１１の方法。
【請求項１３】
アルキル化ジフェニルアミンがケトンと縮合される、請求項１１の方法。
【請求項１４】
ケトンがアセトンである、請求項１３の方法。
【請求項１５】
アルキル化ジフェニルアミンがケトンと縮合される、請求項１２の方法。
【請求項１６】
ケトンがアセトンである、請求項１５の方法。
【請求項１７】
組成物がさらに混合物によって与えられるものに加えて少なくとも１つの抗酸化剤を包含する、請求項１１の方法。
【請求項１８】
付加的な抗酸化剤がアミン抗酸化剤、ヒンダードフェノール抗酸化剤、及びその混合物からなる群から選択される、請求項１７の方法。
【請求項１９】
ヒンダードフェノール抗酸化剤が、２，４−ジメチル−６−オクチル−フェノール、２，６−ジ−ｔ−ブチル−４−メチルフェノール、２，６−ジ−ｔ−ブチル−４−エチルフェノール、２，６−ジ−ｔ−ブチル−４−ｎ−ブチル−フェノール、２，２’−メチレンビス（４−メチル−６−ｔ−ブチルフェノール）、２，２’−メチレンビス（４−エチル−６−ｔ−ブチル−フェノール）、２，４−ジメチル−６−ｔ−ブチルフェノール、４−ヒドロキシメチル−２，６−ジ−ｔ−ブチルフェノール、ｎ−オクタデシル−ベータ（３，５−ジ−ｔ−ブチル−４−ヒドロキシフェニル）プロピオン酸、２，６−ジオクタデシル−４−メチルフェノール、２，４，６−トリメチルフェノール、２，４，６−トリイソプロピルフェノール、２，４，６−トリ−ｔ−ブチルフェノール、２−ｔ−ブチル−４，６−ジメチルフェノール、２，６−ジメチル−４−ジドデシルフェノール、トリス（３，５−ジ−ｔ−ブチル−４−ヒドロキシ）イソシアヌル酸、トリス（２−メチル−４−ヒドロキシ−５−ｔ−ブチルフェニル）ブタン、３，５−ジ−ｔ−ブチル−４−ヒドロキシヒドロ桂皮酸、オクタデシル−３，５−ジ−ｔ−ブチル−４−ヒドロキシ−ヒドロ桂皮酸、テトラキス｛メチレン（３，５−ジ−ｔ−ブチル−４−ヒドロキシ−ヒドロ桂皮酸）｝メタン、１，２−ビス（３，５−ジ−ｔ−ブチル−４−ヒドロキシヒドロ桂皮酸）ヒドラジン、１，３，５−トリス（３，５−ジ−ｔ−ブチル−４−ヒドロキシベンジル）−ｓ−トリアジン−２，４，６−（１Ｈ，３Ｈ，５Ｈ）トリオン、２，２’−オキサミド−ビス−｛エチル−３−（３，５−ジ−ｔ−ブチル−４−ヒドロキシフェニル）｝プロピオン酸、１，３，５−トリス（４−ｔ−ブチル−３−ヒドロキシ−２，６−ジメチルベンジル）−ｓ−トリアジン−２，４，６−（１Ｈ，３Ｈ，５Ｈ）トリオン、１，３，５−トリメチル−２，４，６−トリス（３，５−ジ−ｔ−ブチル−４−ヒドロキシベンジル）ベンゼン、１，３，５−トリス（２−ヒドロキシエチル）−５−トリアジン−２，４，６（１Ｈ，３Ｈ，５Ｈ）−トリオンの３，５−ジ−ｔ−ブチル−４−ヒドロキシヒドロ桂皮酸トリエステル、ビス（３，３−ビス（４−ヒドロキシ−３−ｔ−ブチルフェニル）ブタン酸）グリコールエステル、テトラキス｛メチレン（３，５−ジ−ｔ−ブチル−４−ヒドロキシ−ヒドロ桂皮酸）｝メタン、１，３，５−トリメチル−２，４，６−トリス（３，５−ｔ−ブチル−４−ヒドロキシベンジル）ベンゼン、及び３，５−ジ−ｔ−ブチル−４−ヒドロキシ−ヒドロ桂皮酸のＣ７からＣ９分枝鎖アルキルエステル、からなる群から選択される、請求項１８の方法。
【請求項２０】
混合物が、（Ａ）Ｒ１、Ｒ２、Ｒ３、及びＲ４が、少なくとも１つが水素ではないという条件で、水素、Ｃ３からＣ３２のアルキル、及びＣ３からＣ３２のアルケニルからなる群から独立して選択され、及びＲ５及びＲ６がＣ１からＣ２０のヒドロカルビル及び水素からなる群から独立して選択される、下記の一般式の少なくとも１つのアクリダン；
【化４】
2007532757.tif 000030
（Ｂ）アクリダンの調製物由来の残存するアルキル化ジフェニルアミン；
（Ｃ）アミン抗酸化剤、ヒンダードフェノール抗酸化剤、及びその混合物からなる群から選択される少なくとも１つの付加的な抗酸化剤；
を包含する抗酸化剤の混合物を潤滑油に添加することを包含する、酸化に対する潤滑油の感受性を軽減するための方法。
【発明の詳細な説明】
【技術分野】
【０００１】
（発明の背景）
（発明の分野）
本発明は潤滑剤用添加剤の分野に関連する。より詳しく言えば、本発明は、もし適切な酸触媒があればその存在下で、ケトン又はアルデヒドとアルキル化されたジフェニルアミン（ＡＤＰＡ）との縮合に由来する潤滑剤用添加剤の分野に関連する。
【背景技術】
【０００２】
（関連する技術の記載）
ジアリールアミンと脂肪族ケトンの反応産物は、抗酸化剤として知られている。既知のジアリールアミン脂肪族ケトンの反応産物には、アメリカ特許番号１，９０６，９３５、１，９７５，１６７、及び２，５６２，８０２に開示されたものがある。簡潔に述べると、これらの産物は、ジアリールアミン、好ましくは、もし望むのであればアリール基のどちらかに１つ又はそれ以上の置換基を有するかもしれないジフェニルアミンと、脂肪族ケトン、好ましくはアセトンとを、適切な触媒の存在下で反応させることによって得られる。ジフェニルアミンに加えて、技術的に知られた他のジアリールアミン反応物は、ジナフチルアミン、ｐ−ニトロジフェニルアミン、２，４−ジニトロジフェニルアミン、ｐ−アミノジフェニルアミン、ｐ−ヒドロキシジフェニルアミンなどを含む。
【０００３】
市場で入手可能なジアリールアミン−脂肪族ケトンの反応産物は、アメリカ特許番号２，５６２，８０２に記載された縮合に基づいて調製されうる、ジフェニルアミンとアセトン（ＮＡＵＧＡＲＤ  Ａ、Ｕｎｉｒｏｙａｌ  Ｃｈｅｍｉｃａｌ）の縮合反応によって得られるものである。市販の製品は、薄い黄緑色の粉末又は緑がかった茶色の薄片として供給され、そして８５から９５℃の融点の範囲を有する。
【０００４】
ケトンと第二アミンとの最終反応産物の性質に対し、様々な要因が寄与し、又は本質的な影響力を有する。そのような要因のうちには、触媒のタイプ及び濃度、第一の反応物の濃度及び性質、及び反応の間中にわたって用いられる温度レベル、などがある。
【０００５】
いくつかの方法が、固体素材（アメリカ特許番号２，００２，６４２）から重液までの範囲にわたる抗酸化産物を与えるためのジフェニルアミンとアセトンとの縮合について、技術的に古くから知られており、それはアセトンとジフェニルアミンとの縮合物のオートクレーヴを利用した調製を開示するアメリカ特許番号１，９７５，１６７に参照される。
【０００６】
アメリカ特許番号２，２０２，９３４は、そして高度のジアリールアミンの変換が得られるような条件下で、霧状の脂肪族ケトンを液体化させたジアリールアミンへと通過させ、そして触媒の存在下で２つの素材を反応させることを含む工程を開示する。好ましい触媒は、例えば、ヨウ素、臭素、ヨウ化水素酸、臭化水素酸、及び塩酸を含むものである。採用される温度は、１００℃と約２００℃の間の範囲内である。
【０００７】
アメリカ特許番号２，５６２，８０２は、２７５から３１０℃の温度で、そして大気圧より大きい圧力で、３から１０時間、好ましくは、ヨウ素、ヨウ化水素酸、臭素、臭化水素酸、又は鉛以外の重金属の臭化物、特にヨウ化鉄などの少なくとも１つの触媒の存在下で、アセトンとジフェニルアミンがオートクレーヴされる工程を開示する。
【０００８】
アメリカ特許番号２，６５０，２５２は、脂肪族ケトンとジアリールアミンの縮合が、それぞれの場合においてハロゲン原子が直接飽和の炭素原子と結合し、そしてさらにそれぞれの場合に少なくとも３５の原子量を有するハロゲンである、ハロアルカン、ハロアルケン、ハロシクロアルカン、及びハロアルキルベンゼンからなる部類から選択されたハロゲン化炭化水素によって促進されうることを開示する。
【０００９】
アメリカ特許番号２，６５７，２３６は、脂肪族ケトンとジアリールアミンの縮合が、ハロゲン置換基が飽和の非環式の炭素原子に直接結合した、ハロゲン化有機酸、ハロゲンを含む有機酸のエステル、及びハロゲン化された有機酸のアミドからなる部類から選択された触媒によって促進されうることを開示する。
【００１０】
アメリカ特許番号２，６６０，６０５は、少なくとも１つのアルキル基が少なくとも２つの炭素長であり、及びベンゼン環からアルファ及びベータ位の炭素原子上に少なくとも１つの水素原子を有する、すなわち第一及び第二アルキルであるアルキル化ベンゼンと共に加熱することによって、相対的に硬い樹脂性の脂肪族ケトン−ジアリールアミン抗酸化剤を３０℃で測定した時に約１０から約５０ポアズにわたる粘度を有する流動性のオイル状素材へと変換することを開示する。
【００１１】
アメリカ特許番号２，６６３，７８４は、脂肪族ケトンとジアリールアミンの縮合が、ハロゲン化アルデヒド又はアセタール（開環又は環状）、少なくともおよそ３５の原子量を有するハロゲン、などによって促進されうることを開示する。
【００１２】
アメリカ特許番号２，６６６，７９２は、脂肪族ケトンとジアリールアミンの縮合がハロゲン化アシルによって促進されうることを開示する。
【００１３】
アメリカ特許番号５，２６８，３９４は、Ｒ１、Ｒ２、Ｒ３、及びＲ４がＨ、Ｃ１からＣ１８のアルキル、又はＣ７からＣ１８のアラルキルである化１の構造のアクリダンを開示する。
【化１】
2007532757.tif 000003
Ｒ３及びＲ４はまたアリール、好ましくはフェニルでありうる。この化合物は安定剤として、好ましくは、ポリウレタンの柔軟な発泡体のためのポリエーテルポリオールを安定化するためのヒンダードアミン、フェノール、及び亜リン酸安定剤と合わせて、及びポリグリコール、熱伝導流体、及び潤滑にするための添加剤のための安定化剤として、使用できる。
【００１４】
Ｔｒｉｔｓｃｈｌｅｒ，Ｗ．ら、Ｃｈｅｍ．Ｂｅｒ．１１７：２７０３−２７１３（１９８４）は、特殊な製法のスピロアクリダンが、特定のジアリールアミンと環状ケトンの縮合によって容易に得られるということを報告した。
【００１５】
前述の開示は、その全体において、本願に引用して援用する。
【発明の開示】
【課題を解決するための手段】
【００１６】
（発明の要約）
本発明は、適切な酸触媒があればその存在下におけるアルキル化ジフェニルアミン（ＡＤＰＡ）とケトン又はアルデヒドの縮合に由来する潤滑剤用添加剤の部類を目的とする。
【００１７】
より詳しく言えば、本発明は、
（Ａ）潤滑油；及び
（Ｂ）Ｒ１、Ｒ２、Ｒ３、及びＲ４の少なくとも１つが水素ではないという条件でＲ１、Ｒ２、Ｒ３、及びＲ４が水素、Ｃ３からＣ３２のアルキル、及びＣ３からＣ３２のアルケニルからなる群から独立して選択され、そしてＲ５及びＲ６が、縮合の終了時に残存したアルキル化ジフェニルアミンがアクリダン産物から分離されない、Ｃ１からＣ２０のヒドロカルビル、フェニル、及び水素からなる群から独立して選択される、少なくとも１つの一般的な化学式化２のアクリダンを生産するために、酸触媒の存在下でアルキル化ジフェニルアミンと、アルデヒド又はケトンとの部分的な縮合によって調製される、抗酸化剤の混合物：
を含む組成物を目的とする。
【化２】
2007532757.tif 000004
【００１８】
別の態様において、本発明は、（Ａ）潤滑油；及び
（Ｂ）抗酸化剤の混合物であって：
（１）Ｒ１、Ｒ２、Ｒ３、及びＲ４の少なくとも１つが水素ではないという条件でＲ１、Ｒ２、Ｒ３、及びＲ４が水素、Ｃ３からＣ３２のアルキル、及びＣ３からＣ３２のアルケニルからなる群から独立して選択され、そしてＲ５及びＲ６が、Ｃ１からＣ２０のヒドロカルビル及び水素からなる群から独立して選択される一般式化３の少なくとも１つのアクリダン；
【化３】
2007532757.tif 000005
（２）アクリダンの調製物由来の残存するアルキル化ジフェニルアミン；
（３）アミン抗酸化剤、ヒンダードフェノール抗酸化剤、及びそれらの混合物からなる群から選択された少なくとも１つの付加的な抗酸化剤、を含む抗酸化剤の混合物；
を含む組成物を目的とする。
【００１９】
さらに別の態様において、本発明は、混合物が、Ｒ１、Ｒ２、Ｒ３、及びＲ４の少なくとも１つが水素ではないという条件でＲ１、Ｒ２、Ｒ３、及びＲ４が水素、Ｃ３からＣ３２のアルキル、及びＣ３からＣ３２のアルケニルからなるグループから独立して選択され、そしてＲ５及びＲ６が、Ｃ１からＣ２０のヒドロカルビル及び水素からなるグループから独立して選択される、化４の一般式の少なくとも１つのアクリダンを生産するために、酸触媒の存在下でアルキル化ジフェニルアミンとアルデヒド又はケトンとの部分的な縮合によって調製される抗酸化剤の混合物を潤滑油に加えることを含む、酸化に対する潤滑油の感受性を軽減させるための方法を目的とする。
【化４】
2007532757.tif 000006
【００２０】
さらに別の態様において、本発明は、混合物が、
（Ａ）Ｒ１、Ｒ２、Ｒ３、及びＲ４の少なくとも１つが水素ではないという条件でＲ１、Ｒ２、Ｒ３、及びＲ４が水素、Ｃ３からＣ３２のアルキル、及びＣ３からＣ３２のアルケニルからなるグループから独立して選択され、そしてＲ５及びＲ６が、Ｃ１からＣ２０のヒドロカルビル及び水素からなるグループから独立して選択される化５の一般式の少なくとも１つのアクリダン；
（Ｂ）アクリダンの調製物由来の残存するアルキル化ジフェニルアミン；
（Ｃ）アミン抗酸化剤、ヒンダードフェノール抗酸化剤、及びそれらの混合物からなるグループから選択された少なくとも１つの付加的な抗酸化剤、
を含む混合物である抗酸化剤の混合物を、潤滑油に加えることを含む、酸化に対する潤滑油の感受性を軽減させるための方法を目的とする。
【化５】
2007532757.tif 000007
【００２１】
（好ましい形態の記述）
上記の通り、本発明は、もし適切な酸触媒がある場合はその存在下における、アルキル化ジフェニルアミンとケトン又はアルデヒドとの縮合に由来する、潤滑剤用添加剤の部類に関連する。この部類の化合物はアクリダンと呼ばれる。それらは、Ｒ１、Ｒ２、Ｒ３、及びＲ４の少なくとも１つが水素ではないという条件でＲ１、Ｒ２、Ｒ３、及びＲ４が水素、Ｃ３からＣ３２のアルキル、及びＣ３からＣ３２のアルケニルからなるグループから独立して選択され、そしてＲ５及びＲ６が、Ｃ１からＣ２０のヒドロカルビル及び水素からなるグループから独立して選択される、化６の一般式によって定義される。
【化６】
2007532757.tif 000008
【００２２】
ここでＲ１、Ｒ２、Ｒ３、及びＲ４のいずれかは、３から３２個の炭素原子のアルキルであり、それらは、例えば、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ヘネイコシル、ドコシル、トリコシル、テトラコシル、ペンタコシル、ヘキサコシル、ヘプタコシル、オクタコシル、ノナコシル、トリアコンチル、ウントリコンチル、ドトリアコンチル、前述の混合物及び異性体などであるかもしれない。
【００２３】
好ましくは、ここでＲ１、Ｒ２、Ｒ３、及びＲ４のいずれかはアルキルであり、それらは２から２４個の炭素原子のアルキルであり、より好ましくは３から２０個の炭素原子である。
【００２４】
ここでＲ１、Ｒ２、Ｒ３、及びＲ４のいずれかは、３から３２個の炭素原子のアルケニルであり、それらは、例えば、プロペニル、ブテニル、ペンテニル、ヘキセニル、ヘプテニル、オクテニル、ノネニル、デセニル、ウンデセニル、ドデセニル、トリデセニル、テトラデセニル、ペンタデセニル、ヘキサデセニル、ヘプタデセニル、オクタデセニル、ノナデセニル、エイコセニル、ヘネイコセニル、ドコセニル、トリコセニル、テトラコセニル、ペンタコセニル、ヘキサコセニル、ヘプタコセニル、オクタコセニル、ノナコセニル、トリアコンテニル、ウントリコンテニル、ドトリアコンテニル、前述の混合物及び異性体などであるかもしれない。
【００２５】
好ましくは、ここでＲ１、Ｒ２、Ｒ３、及びＲ４のいずれかはアルケニルであり、それらは２から２４個の炭素原子のアルケニルであり、より好ましくは３から２０個の炭素原子である。
【００２６】
ここで、Ｒ５及びＲ６の一方又は両方は１から２０個の炭素原子のヒドロカルビルであり、それらは独立して選択され、そして例えば、直鎖又は枝分かれしたアルキル、アルキルオキシ、例えばフェニル又はヘテロ環式などのアリールであり、及びいずれかの炭素/水素主鎖に加えて、酸素、窒素、及び/又は硫黄又は結合を含むかもしれない。
【００２７】
アクリダンが潤滑用の添加剤として使われうることは、アメリカ特許番号５，２６８，３９４から分かる。この特許はまた、アクリダンと特定のアミン安定剤、フェノール性安定剤、及び亜リン酸系安定剤との組み合わせについても開示する。しかしながら、この特許はまた、その生産において採用されたジフェニルアミンから分離したアクリダンの使用のみを教示する。そのような分離は不必要であること、及びアクリダンと残存するアルキル化ジフェニルアミンの有用な組み合わせが反応混合物からそれらを分離するという生産上の費用を無しに潤滑油のための安定剤として採用されうることは、今は既に知られている。当業者は、付加的な安定剤が組成物に加えられうることを理解するだろう。好ましい実施例において、組成物の残存するジフェニルアミン及び/又はヒンダードフェノール性抗酸化剤と、同じ又は異なった、アルキル化ジフェニルアミンなどの１つ又はそれ以上のアミン抗酸化剤が加えられる。
【００２８】
アミン抗酸化剤は、ジフェニルアミン抗酸化素材を置換した、アリール、アルキル、アルカリル、及びアラルキルなどの炭化水素で置換されたジアリールアミンでありうる。市場で入手可能な炭化水素で置換されたジフェニルアミンの限定されないリストは、置換されたオクチル化、ノニル化、及びヘプチル化ジフェニルアミン、及びパラ置換されたスチレン化、又はα−メチルスチレン化ジフェニルアミンを含む。ｐ−（ｐ−トルエンスルフォニルアミド）−ジフェニルアミンなどの硫黄を含む炭化水素で置換されたジフェニルアミンもまた、この部類の一部であると考えられる。
【００２９】
この発明の実践において有用な炭化水素で置換されたジアリールアミンは、次の一般式によって表すことができる。
【化７】
2007532757.tif 000009
ここで、Ａｒ及びＡｒ’はアリールラジカルから独立して選択され、そのうち１つは好ましくは少なくとも１つのアルキルラジカルで置換される。アリールラジカルは、例えば、フェニル、ビフェニル、テルフェニル、ナフチル、アントリル、フェナントリル、などでありうる。アルキル置換基は、例えば、メチル、エチル、プロピル、ブチル、ペンチル、ヘキシル、ヘプチル、オクチル、ノニル、デシル、その異性体などでありうる。
【００３０】
好ましい炭化水素で置換されたジアリールアミンは、その開示が本願に参考のために示される、アメリカ特許番号３，４５２，０５６及び３，５０５，２２５に開示されたものである。好ましい炭化水素で置換されたジアリールアミンは、次の一般式によって表されうる、
【化８】
2007532757.tif 000010
ここで、Ｒ１はフェニル及びｐ−トルイルからなるグループから選択され、Ｒ２及びＲ３はメチル、フェニル、及びｐ−トルイルラジカルからなるグループから独立して選択され、Ｒ４はメチル、フェニル、ｐ−トルイル、及びネオペンチルラジカルからなるグループから選択され、Ｒ５はメチル、フェニル、ｐ−トルイル、及び２−フェニルイソブチルラジカルからなるグループから選択され、そしてＲ６はメチルラジカルである。
【００３１】
【化９】
2007532757.tif 000011
ここで、Ｒ１からＲ５は化８に示されたラジカルから独立して選択され、そしてＲ７はメチル、フェニル、及びｐ−トルイルラジカルからなるグループから選択され、Ｘはメチル、エチル、Ｃ３からＣ１０のｓｅｃ−アルキル、α，α−ジメチルベンジル、α−メチルベンジル、塩素、臭素、カルボキシル、及び亜鉛、カドミウム、ニッケル、鉛、スズ、マグネシウム、及び銅からなるグループから選択される金属のカルボキシル酸の金属塩、からなるグループから選択されたラジカル、及びＹは水素、メチル、エチル、Ｃ３−Ｃ１０のｓｅｃ−アルキル、塩素、及び臭素からなるグループから選択されたラジカルである。
【００３２】
【化１０】
2007532757.tif 000012
ここで、Ｒ１はフェニル又はｐ−トルイルラジカルからなるグループから選択され、Ｒ２及びＲ３はメチル、フェニル、及びｐ−トルイルラジカルからなるグループから独立して選択され、Ｒ４は水素、Ｃ３からＣ１０の第一、第二、及び第三アルキル、及び直鎖又は枝分かれしているかもしれないＣ３からＣ１０のアルコキシルからなるグループから選択されたラジカル、及びＸ及びＹは水素、メチル、エチル、Ｃ３からＣ１０のｓｅｃ−アルキル、塩素、及び臭素からなるグループから独立して選択されたラジカルである。
【００３３】
【化１１】
2007532757.tif 000013
ここで、Ｒ９はフェニル及びｐ−トルイルラジカルからなるグループから選択され、Ｒ１０はメチル、フェニル、ｐ−トルイル、及び２−フェニルイソブチルからなるグループから選択されたラジカルであり、Ｒ１１はメチル、フェニル、及びｐ−トルイルからなるグループから選択されたラジカルである。
【００３４】
【化１２】
2007532757.tif 000014
ここで、Ｒ１２はフェニル、又はｐ−トルイルラジカルからなるグループから選択され、Ｒ１３はメチル、フェニル、ｐ−トルイルラジカルからなるグループから選択され、Ｒ１４はメチル、フェニル、ｐ−トルイル、及び２−フェニルイソブチルラジカルからなるグループから選択され、及びＲ１５は水素、α，α−ジメチルベンジル、α−メチルベンズヒドリル、トリフェニルメチル、及びｐ−トリメチルベンジルラジカルからなるグループから選択される。この発明において有用な典型的な化学物質は以下の通りである、
【００３５】
【表１】
2007532757.tif 000015
【００３６】
【表２】
2007532757.tif 000016
【００３７】
【表３】
2007532757.tif 000017
【００３８】
【化１３】
2007532757.tif 000018
Ｒ９はフェニル、及びＲ１０及びＲ１１はメチルである。
【００３９】
アミン抗酸化剤の第二の部類は、ジアリールアミンと脂肪族ケトンの反応産物を含む。本願において有用であるそのジアリールアミン脂肪族ケトン反応産物は、アメリカ特許番号１，９０６，９３５、１，９７５，１６７、２，００２，６４２、及び２，５６２，８０２に開示される。簡潔に記載すると、これらの産物は、適切な触媒の存在下において、ジアリールアミン、好ましくは、もし望むのであれば１つ又はそれ以上の置換基をどちらかのアリール基上に有するジフェニルアミンと、脂肪族ケトン、好ましくはアセトンとを反応させることによって得られる。ジフェニルアミンに加えて、他の適切なジアリールアミン反応物は、ジナフチルアミン、ｐ−ニトロジフェニルアミン、２，４−ジニトロフェニルアミン、ｐ−アミノジフェニルアミン、ｐ−ヒドロキシジフェニルアミンなどを含む。アセトンに加えて、他の有用なケトン反応物は、メチルエチルケトン、ジエチルケトン、モノクロロアセトン、ジクロロアセトンなどを含む。
【００４０】
好ましいジアリールアミン−ケトンの反応産物は、例えば、アメリカ特許番号２，５６２，８０２に記載された条件に従った、ジフェニルアミンとアセトン（ＮＡＵＧＡＲＤ  Ａ、Ｕｎｉｒｏｙａｌ  Ｃｈｅｍｉｃａｌ）の縮合反応から得られる。市販の製品は、薄い黄緑色の粉末又は緑がかった茶色の薄片として供給され、そして８５から９５℃の融点の範囲を有する。
【００４１】
適切なアミンの第三の部類は、Ｎ，Ｎ’位を炭化水素で置換されたｐ−フェニレンジアミンを含む。炭化水素の置換基は、置換された又は非置換でありうるアルキル又はアリール基であるかもしれない。本願で使われるように、「アルキル」という用語は、もし特異的に他の記載がなければ、シクロアルキルを含むことを意図している。代表的な素材は、Ｎ−フェニル−Ｎ’−シクロヘキシル−ｐ−フェニレンジアミン、Ｎ−フェニル−Ｎ’−ｓｅｃ−ブチル−ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレンジアミン、Ｎ，Ｎ’−ビス−（１，４−ジメチルペンチル）−ｐ−フェニレンジアミン、Ｎ，Ｎ’−ジフェニル−ｐ−フェニレンジアミン、混合ジアリール−ｐ−Ｎ，Ｎ’−ビスー（１−メチルヘプチル）−ｐ−フェニレンジアミンである。
【００４２】
アミン抗酸化剤の最後の部類は、キノリン、特にポリマー化した１，２−ジニトロ−２，２，４−トリメチルキノリンに基づいた素材を含む。代表的な素材は、ポリマー化した２，２，４−トリメチル−１，２−ジヒドロキノリン、６−ドデシル−２，２，４−トリメチル−１，２−ジヒドロキノリン、６−エトキシ−２，２，４−トリメチル−１，２−ジヒドロキノリンなどを含む。
【００４３】
本発明の好ましい実施において特に有用なヒンダードフェノールは、オイルに可溶性である。
【００４４】
有用なヒンダードフェノールの例は、２，４−ジメチル−６−オクチル−フェノール、２，６−ジ−ｔ−ブチル−４−メチルフェノール（すなわち、ブチル化ヒドロキシトルエン）、２，６−ジ−ｔ−ブチル−４−エチルフェノール、２，６−ジ−ｔ−ブチル−４−ｎ−ブチルフェノール、２，２’−メチレンビス（４−メチル−６−ｔ−ブチルフェノール）、２，２’−メチレンビス（４−エチル−６−ｔ−ブチルフェノール）、２，４−ジメチル−６−ｔ−ブチルフェノール、４−ヒドロキシメチル-２，６−ジ−ｔ−ブチルフェノール、ｎ−オクチル−ベータ（３，５−ジ−ｔ−ブチル−４−ヒドロキシフェニル）プロピオン酸、２，６−ジオクタデシル−４−メチルフェノール、２，４，６−トリメチルフェノール、２，４，６−トリイソプロピルフェノール、２，４，６−トリ−ｔ−ブチルフェノール、２−ｔ−ブチル-４，６-ジメチルフェノール、２，６−ジメチル−４−ジドデシルフェノール、トリス（３，５−ジ−ｔ−ブチル−４−ヒドロキシ）イソシアヌル酸、及びトリス（２−メチル−４−ヒドロキシ−５−ｔ−ブチルフェニル）ブタンを含む。
【００４５】
他の有用な抗酸化剤は、３，５−ジ−ｔ−ブチル−４−ヒドロキシヒドロ桂皮酸、オクタデシル−３，５−ジ−ｔ−ブチル−４−ヒドロキシヒドロ桂皮酸（ＮＡＵＧＡＲＤ  ７６、Ｕｎｉｒｏｙａｌ  Ｃｈｅｍｉｃａｌ、ＩＲＧＡＮＯＸ  １０７６、Ｃｉｂａ−Ｇｅｉｇｙ）、テトラキス｛メチレン（３，５−ジ−ｔ−ブチル−４−ヒドロキシヒドロ桂皮酸）｝メタン（ＩＲＧＡＮＯＸ  １０１０、Ｃｉｂａ−Ｇｅｉｇｙ）、１，２−ビス（３，５−ジ−ｔ−ブチル−４−ヒドロキシヒドロシンナモイル）ヒドラジン（ＩＲＧＡＮＯＸ  ＭＤ  １０２４、Ｃｉｂａ−Ｇｅｉｇｙ）、１，３，５−トリス（３，５−ジ−ｔ−ブチル−４−ヒドロキシベンジル）−ｓ−トリアジン−２，４，６（１Ｈ，３Ｈ，５Ｈ）トリオン（ＩＲＧＡＮＯＸ  ３１１４、Ｃｉｂａ−Ｇｅｉｇｙ）、２，２’−オクサミド  ビス−｛エチル−３−（３，５−ジ−ｔ−ブチル−４−ヒドロキシフェニル）｝プロピオン酸（ＮＡＵＧＡＲＤ  ＸＬ−１、Ｕｎｉｒｏｙａｌ  Ｃｈｅｍｉｃａｌ）、１，３，５−トリス（４−ｔ−ブチル−３−ヒドロキシ−２，６−ジメチルベンジル）−ｓ−トリアジン−２，４，６−（１Ｈ，３Ｈ，５Ｈ）トリオン（ＣＹＡＮＯＸ  １７９０、Ａｍｅｒｉｃａｎ  Ｃｙａｎａｍｉｄ社）、１，３，５−トリメチル−２，４，６−トリス（３，５−ジ−ｔ−ブチル−４−ヒドロキシベンジル）ベンゼン（ＥＴＨＡＮＯＸ  ３３０、Ｅｔｈｙｌ社）、１，３，５−トリス（２−ヒドロキシエチル）−５−トリアジン−２，４，６（１Ｈ，３Ｈ，５Ｈ）−トリオンを含む３，５−ジ−ｔ−ブチル−４−ヒドロキシヒドロ桂皮酸トリエステル、及びビス（３，３−ビス（４−ヒドロキシ−３−ｔ−ブチルフェニル）ブタン酸）グリコールエステル、を含む。
【００４６】
本発明の実施において有用なさらに他のヒンダードフェノールは、テトラキス｛メチレン（３，５−ジ−ｔ−ブチル−４−ヒドロキシ−ヒドロ桂皮酸）｝メタン（ＩＲＧＡＮＯＸ  １０１０、Ｃｉｂａ−Ｇｅｉｇｙ）、及び１，３，５−トリメチル−２，４，６−トリス（３，５−ジ−ｔ−ブチル−４−ヒドロキシベンジル）ベンゼン（ＥＴＨＡＮＯＸ  ３３０、Ｅｔｈｙｌ社）などの、３つ又はそれ以上の置換されたフェノール基を含むポリフェノールである。
【００４７】
本発明の組成物と共に使用するための特に好ましい抗酸化剤は、モノ−、ジ−、及びトリ−、ノニル化されたジフェニルアミン（Ｎａｕｇａｌｕｂｅ（登録商標）  ４３８Ｌ）、３，５−ジ−ｔ−ブチル−４−ヒドロキシ−ヒドロ桂皮酸のＣ７からＣ９の枝分かれしたアルキルのエステル（Ｎａｕｇａｌｕｂｅ  ５３１）、及びブチル化された（３０％）、オクチル化された（２４％）ジフェニルアミン（Ｎａｕｇａｌｕｂｅ  ６４０）である。
【００４８】
本発明の組成物は、適切な酸触媒の存在下における、アルキル化されたジフェニルアミン（ＡＤＰＡ）とケトン又はアルデヒドとの縮合によって調製される。次の３つの別々の工程の１つが採用されることは望ましい。第一の工程は、ヨウ化鉄の使用、及び高温と高圧を含み、第二の工程は、触媒としての臭化水素酸の使用及び時間の長期間にわたるケトンの継続的なを含み、そして第三の工程は時間の長期間にわたるケトン及びＨＢｒの継続的な供給の使用を含む。
【００４９】
第一の工程の実施例として、３２６グラムのノニル化ジフェニルアミン（Ｎａｕｇａｌｕｂｅ  ４３８Ｌ）を、１．４グラムのヨウ化鉄と共にオートクレーヴに充填し、４０％の濃度となるように水を加え、及び１３５ｍＬのアセトンを加えた。その反応器を窒素で２１２ｐｓｉｇにまで二度にわたって加圧し、そして大気圧になるまで排気した。その後、圧力が３８４ｐｓｉｇにまで上昇するように２８０℃にまで加熱した。反応は、圧力が５１８ｐｓｉｇの最大値にまで上昇する時間の間、６時間にわたって継続させた。その反応物をその後冷却し、溶媒で希釈し、そしてｐＨ７へと中和した。その有機層を水で洗浄し、そしてその有機物をロータリーエヴァポレーターで揮発させた。生産物は暗い色の粘性の液体として得られた。
【００５０】
第二の工程の実施例として、ノニル化ジフェニルアミン（９５グラム、Ｎａｕｇａｌｕｂｅ  ４３８Ｌ）及び４．５ｍＬの５０％ＨＢｒ水溶液を、機械的な撹拌機、熱電対、及び電熱器を装備した反応容器へと充填した。窒素雰囲気下、その充填物を１６５℃にまで加熱した。アセトン（１２０ｍＬ）を、時間あたり１０ｍＬの速度でシリンジポンプを介して添加した。反応物を、その後冷却し、希釈したＮａＯＨで洗浄し、そしてロータリーエヴァポレーターで揮発させた。生産物は暗い色の粘性の液体として得られた。
【００５１】
第三の工程の実施例として、ノニル化ジフェニルアミン（４０グラム、Ｎａｕｇａｌｕｂｅ  ４３８Ｌ）を、機械的な撹拌機、熱電対、電熱器、及び受信機の付いた補正濃縮機を装備した反応容器へと充填した。窒素雰囲気下、充填物を１８０℃にまで加熱した。０．８７５グラムのＨＢｒと混合したアセトン（６２ｍＬ）を、約７時間かけてシリンジポンプを介して加えた。反応物をその後さらなる時間熱処理した。反応物をその後６０℃にまで冷却し、等重量の溶媒で希釈し（洗浄を向上させるため）、そして希釈したＮａＯＨで洗浄した。有機層は分離され、そしてロータリーエヴァポレーターで揮発させた。生産物は暗い色の粘性の液体として得られた。
【００５２】
この発明は、割合及びパーセンテージがもし他に示していなければ重量によるものである、以下の実施例を参照することによって、より良く理解されるかもしれない。
【００５３】
（実施例）
実施例Ａ
９０グラムのブチル化オクチル化ジフェニルアミンと３．６グラムの４８％臭化水素酸水溶液を、機械的な撹拌機、窒素雰囲気、熱電対、電熱器、及び受信機の付いた補正濃縮機を装備した反応容器へと充填した。これを１８０℃にまで加熱した。ＨＰＬＣポンプを用いて、３４０ｍＬのアセトンを６．５時間かけて反応物へと加えた。反応物をその後さらに３０分間熱処理した。その後反応物を７０℃にまで冷却し、２５０ｍＬのヘプタンで希釈し（洗浄を向上させるため）、そして希釈したＮａＯＨで洗浄した。有機層を分離し、そして一晩放置した。その結果の沈殿物（これ以降ＡＣ１と呼称する）を、２２９から２３１℃の融点である７．２グラムの白灰色の針状固体を与えるように濾過した。分析はこの物がジ−ｔｅｒｔ−ブチルジメチルアクリダンであることを示した。１Ｈ  ＮＭＲ  δ＝１．３０３ｐｐｍ  積分＝１８（ｔ−ブチル）、δ＝１．５９１ｐｐｍ  積分＝６（Ａｒ２−Ｃ−（ＣＨ３）２）、δ＝６．００２  積分＝１（−Ｎ−Ｈ）、δ＝６．５９２、６．６１９、７．０８４、７．０９０、７．１１２、７．１１７、７．３８７ｐｐｍ  積分＝６（芳香族）。１３Ｃ  ＮＭＲ  δ＝３０．６６１ｐｐｍ  積分＝２（Ａｒ２Ｃ（ＣＨ３）２）、δ＝３１．６１８ｐｐｍ  積分＝６（ＡｒＣ（ＣＨ３）３）、δ＝３４．２９９ｐｐｍ  積分＝２（ＡｒＣ（ＣＨ３）３）、δ＝３６．６１９ｐｐｍ  積分＝１（Ａｒ２Ｃ（ＣＨ３）２）、δ＝１１２．８３７、１２２．１５６、１２３．４７７、１２８．５０４、１３６．３７６、１４２．９１７ｐｐｍ  積分＝１２（芳香族）。
【００５４】
（酸化テスト）
（圧力示差走査熱量測定テスト）
本発明の反応産物の抗酸化特性は、圧力示差走査熱量測定（ＰＤＳＣ）テストにおいて決定された。テストは、Ｍｅｔｔｌｅｒ−Ｔｏｌｅｄｏ  ＤＳＣ２７ＨＰを用いて、以下の概略的な手順に沿って行われた。このテストは、圧力の下でＯ２ガス中に測定された潤滑液体における抗酸化剤の相対的な酸化誘導時間（ＯＩＴ）を測定する。
【００５５】
全てのサンプルを、主要な抗酸化剤を含んでいなかった模範となる完全に調合された機械油（表１参照）へと、全体の抗酸化剤の重量あたり０．４％で混合した。付加的な０．１重量％のＳｏｌｖｅｎｔ  Ｎｅｕｔｒａｌ  １５０基本オイルを、その後５０ｐｐｍのナフテン酸鉄と共に加えた。ＰＤＳＣテストの条件を表２に示した。表３は、ノニル化ジフェニルアミン（Ｎａｕｇａｌｕｂｅ  ４３８Ｌ）とＡＣ１との組み合わせの、添加剤の濃度及びテスト結果を示す。表４は、ヒンダードフェノール性抗酸化剤（Ｎａｕｇａｌｕｂｅ  ５３１）、ノニル化ジフェニルアミン（Ｎａｕｇａｌｕｂｅ  ４３８Ｌ）、及びＡＣ１の組み合わせの、添加剤の濃度及びテスト結果を示す。テスト結果の数値は、分単位の酸化誘導時間（ＯＩＴ）として測定され、そして有効性の増大とともに増加する。
【００５６】
【表４】
2007532757.tif 000019
【００５７】
【表５】
2007532757.tif 000020
【００５８】
【表６】
2007532757.tif 000021
【００５９】
【表７】
2007532757.tif 000022
【００６０】
表３及び４に見られるように、アルキル化ジフェニルアミンとアルキル化ジメチルアクリダンの組み合わせは、どちらかの添加剤単独の場合の能力以上に潤滑油調剤の能力を向上させるように相乗作用的に機能する。さらに、アルキル化ジフェニルアミンの一部とアルキル化ジメチルアクリダンとの交換は、フェノール性抗酸化剤と組み合わせて採用された場合、アルキル化ジフェニルアミン又はアルキル化ジメチルアクリダンのどちらか一方のみをフェノール性抗酸化剤と組み合わせたものよりも、特にアルキル化ジメチルアクリダンがアルキル化ジフェニルアミンと約１：３の比率で使われた場合、良い能力を産み出す。
【００６１】
（アルキル化ジメチルアクリダンとアルキル化ジフェニルアミンの混合物の調製）
アルキル化アクリダンの純粋なサンプルを調製すること、そして潤滑性流動体中、又は潤滑性流動体へと混合する前のどちらかのアルキル化ジフェニルアミンと物理的に混合することの代わりに、第一の意図によってアルキル化アクリダンとアルキル化ジフェニルアミンとの望みの比率を生産することは可能であり、及び本発明に合致する。以下はこの方法の実施例である。
【００６２】
（添加物Ａ）
４０グラムのノニル化ジフェニルアミン（Ｎａｕｇａｌｕｂｅ  ４３８Ｌ）を、機械的な撹拌機、窒素雰囲気、熱電対、電熱器、及び受信機の付いた補正濃縮機を装備した反応容器へと充填した。これを１８０度にまで加熱した。０．８７５グラムのＨＢｒ（５０重量％の水溶液として供給した）と混合した６２ｍＬのアセトンを、約７時間にわたってシリンジポンプを介して加えた。この反応物をその後さらなる時間熱処理した。この反応物を６０℃にまで冷却し、等重量の溶媒で希釈し（線上を向上させるため）、そして希釈したＮａＯＨで洗浄した。有機層を分離し、そしてロータリーエヴァポレーターで揮発させた。産物は暗い色の粘性の液体として得られた。ＧＣ（ガスクロマトグラフィー）による分析は、４２．８％のＲＡ（相対面積）が出発原料である残渣を含む新しいアルキル化素材であることを示した。
【００６３】
（添加物Ｂ）
４５グラムのブチル化オクチル化ジフェニルアミン（Ｎａｕｇａｌｕｂｅ  ６４０）を、機械的な撹拌機、窒素雰囲気、熱電対、電熱器、及び受信機の付いた補正濃縮機を装備した反応容器へと充填した。これを１８０℃にまで加熱した。０．９グラムのＨＢｒ（５０重量％の水溶液として供給した）と混合したアセトン（６３ｍＬ）を、３．５時間にわたってシリンジポンプを介して加えた。その反応物をその後７０度にまで冷却し、等重量の溶媒で希釈し（洗浄を向上させるため）、そしてＮａＯＨで洗浄した。有機層を分離し、ロータリーエヴァポレーターで揮発させた。生産物は暗い色の粘性の液体として得られた。ＧＣＭＳ（ガスクロマトグラフィー/質量分析）による分析は、３４．１％のＲＡが、出発原料である残渣を含む、様々な数及び長さのアルキル基を有するジメチルアクリダンであることを示した。
【００６４】
（添加剤Ｃ）
４３．１グラムの量のノニル化ジフェニルアミン（Ｎａｕｇａｌｕｂｅ  ４３８Ｌ）を、機械的な撹拌機、窒素雰囲気、熱電対、電熱器、及び濃縮機を装備した反応容器へと充填した。これを１８０℃にまで加熱した。１．８グラムのＨＢｒ（５０重量％の水溶液として供給した）と混合した５２．５ｍＬのアセトンのストック溶液を調製した。これの７ｍＬを１時間以上かけて加えた。反応物をその後さらに６時間熱処理した。生産物は暗い色の粘性の液体として得られた。ＧＣによる分析は、２３％のＲＡが出発原料である残渣を含む新しいアルキル化素材であることを示した。
【００６５】
（酸化テスト）
（ロータリーボンブによる蒸気タービンの酸化安定性）
本発明の反応産物の抗酸化特性を、ロータリーボンブ酸化テスト（ＲＢＯＴ）において決定した。テストを、Ｋｏｅｈｌｅｒ  Ｋ−７０５０２型の圧力測定システムを取り付けたＫｏｅｈｌｅｒ  Ｉｎｓｔｒｕｍｅｎｔ社のロータリーボンブ酸化バス（Ｋ−７０２００型）中において、ＡＳＴＭ  Ｄ  ２２７２に沿って行った。このテストは、Ｏ２ガスと共に加圧された容器の圧力の低下によって測定される、潤滑流体における抗酸化剤の相対的な酸化誘導時間（ＯＩＴ）を測定する。
【００６６】
テストされたそれぞれのサンプルを、重量あたり０．５％で抗酸化剤を含まない模範的な蒸気タービンオイル（表５参照）へと調合した。これらをその後付加的な０．５重量％のＥｘｃｅｌ  １００基本オイルを含む基本混合物のサンプルと比較した。表６は、数値の増大が有効性の増大と解釈されるテスト結果（ＯＩＴ、分）の数値を提供する。
【００６７】
【表８】
2007532757.tif 000023
【００６８】
【表９】
2007532757.tif 000024
【００６９】
（酸化テスト）
（圧力示差走査熱量測定（ＰＤＳＣ）テスト）
ＰＤＳＣテストは上記の手順を採用して行われた。表７は、アルキル化ジフェニルアミン（Ｎａｕｇａｌｕｂｅ  ４３８Ｌ又はＮａｕｇａｌｕｂｅ  ６４０）及び調製した実施例の組み合わせについての、添加剤の濃度及びテスト結果を示す。表８は、ヒンダードフェノール性抗酸化剤（Ｎａｕｇａｌｕｂｅ  ５３１）、アルキル化ジフェニルアミン、及び調製した実施例についての、添加剤の濃度及びテスト結果を示す。テスト結果の数値は、分単位の酸化誘導時間（ＯＩＴ）として測定され、そして有効性の増大と共に増加する。
【００７０】
【表１０】
2007532757.tif 000025
【００７１】
【表１１】
2007532757.tif 000026
【００７２】
実施例１から１５の比較において見られるように、このテストにおける能力は、アルキル化ジフェニルアミン及びアルキル化アクリダンの混合物として調製された添加剤の実施例によって向上する。フェノール性の抗酸化剤と同様に組み合わせて用いた場合、これらの添加剤の能力はさらにより増大する。フェノール性抗酸化剤とアルキル化ジフェニルアミンの組み合わせが１３から１５分の範囲のＯＩＴを実現する一方、この発明の３つの添加剤の間の相乗効果を用いることで、実施例２２において２０分近くにまで酸化誘導時間を高めることができた。
【００７３】
この発明に内在する本質から離れることなく為されうる多くの変更及び修正を考慮すれば、引例はこの発明を提供するための保護の範囲の理解のために添付された特許請求の範囲に対して為されるべきである。
【国際調査報告】
2007532757.tif 000031
2007532757.tif 000032